(57)【要約】 【課題】着丈を調整することができ、かつ、発光体の点滅により視認性を向上させることができる反射安全服を提供すること。【解決手段】前身頃と後身頃に電源１８、電源スイッチ２０及び制御回路１９によって点滅する複数個の発光体１５をそれぞれ配設し、これらの発光体１５は前身頃７と後身頃６の裏側に別個独立にそれぞれ配設された発光体用給電線１７ａ、１７ｂにそれぞれ接続され、前記発光体用給電線１７ａ、１７ｂは前記前身頃と後身頃の係合手段としての金属製雌部・雄部接続端子１３Ｘ、１３Ｙを介して電気的に接続可能であること。【選択図】  図４
2005194671.tif 000002
【特許請求の範囲】
【請求項１】
前後に反射シートを有するチョッキ型反射安全服の身頃を、肩部を境に前身頃と後身頃とに分離して形成し、前身頃と後身頃とはその上端部同士を面接触状に重ね合わせられるよう適宜長さに形成すると共に、これらのうち一方にはその一側面に上下方向に所定間隔を有して係合手段としての雌雄の一方を複数個配設し、他方にはその一側面に前記係合手段に係脱する他方の係合手段を配設して着丈を選択することを可能にした反射安全服に於いて、前記前身頃と後身頃に電源１８、電源スイッチ２０及び制御回路１９によって点滅する複数個の発光体１５をそれぞれ配設し、これらの発光体１５は前身頃７と後身頃６の裏側に別個独立にそれぞれ配設された発光体用給電線１７ａ、１７ｂにそれぞれ接続され、前記発光体用給電線１７ａ、１７ｂは前記前身頃と後身頃の前記係合手段としての金属製雌部・雄部接続端子１３Ｘ、１３Ｙを介して電気的に接続可能であることを特徴とする反射安全服。
【請求項２】
請求項１に於いて、少なくとも電源１８及び電源スイッチ２０は前身頃７に固定的に設けられた収納ポケット１６に内装され、該収納ポケット１６は、スライド開閉部材２３を介して開閉する軟質合成樹脂製の収納ポケット本体２４と、この収納ポケット本体２４内に固定的に設けられた収納ケース２５とから構成され、前記収納ポケット本体２４の開閉カバー２４ａの表面には、押し釦式の電源スイッチ２０の収納位置を示す目印２６が設けられていることを特徴とする反射安全服。
【発明の詳細な説明】
【技術分野】
【０００１】
本発明は、主に検問や交通整理作業等を行う際に着用する反射安全服に関する。
【背景技術】
【０００２】
特許文献１には、「反射シートを付設した略チョッキ型の反射安全服において、反射安全服の身頃は、肩部を境に前身頃と後身頃とに分離して形成し、前身頃と後身頃とはその上端部同士を面接触状に重ね合わせられるよう適宜長さに形成すると共に、これらのうち一方にはその表面に上下方向に適宜間隔毎に雌雄係合手段の雌雄の一方を複数個配設し、他方にはその裏面の少なくとも端部近傍に前記雌雄係合手段の一方に対応する他方を配設して着脱自在に係合可能に形成した反射安全服」が記載されている。
【０００３】
上記構成の反射安全服は、雌雄係合手段の選択的係合により着丈を調整することができる。しかし、この反射安全服は発光体が設けられていないので、視認性の観点から、改良すべき問題点を有していた。
【０００４】
一方、特許文献２には、「左右の前身頃部、前側ベルト部、左右の後身頃部の各反射シートに複数個の発光ダイオードを配設し、これらの発光ダイオードを、電気コードを介して直列に接続すると共に、制御器で制御して点滅させるように構成した反射チョッキ」が記載されている。
【０００５】
上記構成の反射チョッキは、発光体（発光ダイオード）が点滅するので、視認性が向上するという利点を有する。しかし、着丈を調節することができないという問題点を有していた。
【特許文献１】登録実用新案第３０２９３４２号公報
【特許文献２】登録実用新案第３０３８８５１号公報
【発明の開示】
【発明が解決しようとする課題】
【０００６】
本発明は、上記のような位置付けの反射安全服である。そこで、本発明の目的は、着丈を調整することができ、かつ、発光体の点滅により視認性を向上させることができる反射安全服を提供することである。また、本発明の二次的な目的は、電源スイッチの位置が目視により一目で判り、電源スイッチを簡単にオン・オフすることができることである。
【課題を解決するための手段】
【０００７】
本発明の反射安全服は、前後に反射シートを有するチョッキ型反射安全服の身頃を、肩部を境に前身頃と後身頃とに分離して形成し、前身頃と後身頃とはその上端部同士を面接触状に重ね合わせられるよう適宜長さに形成すると共に、これらのうち一方にはその一側面に上下方向に所定間隔を有して係合手段としての雌雄の一方を複数個配設し、他方にはその一側面に前記係合手段に係脱する他方の係合手段を配設して着丈を選択することを可能にした反射安全服に於いて、前記前身頃と後身頃に電源１８、電源スイッチ２０及び制御回路１９によって点滅する複数個の発光体１５をそれぞれ配設し、これらの発光体１５は前身頃７と後身頃６の裏側に別個独立にそれぞれ配設された発光体用給電線１７ａ、１７ｂにそれぞれ接続され、前記発光体用給電線１７ａ、１７ｂは前記前身頃と後身頃の前記係合手段としての金属製雌部・雄部接続端子１３Ｘ、１３Ｙを介して電気的に接続可能であることを特徴とする。
【０００８】
ここで「点滅」には、繰り返し点滅するのみならず、電源ONによる継続的点灯も含まれる。
【発明の効果】
【０００９】
係合手段としての金属製雌部・雄部接続端子の係合位置を変えることにより、反射安全服の着丈を着用者のサイズに合わせて適宜調節することが可能であると共に、発光体の点滅により視認性を向上させることができる。また、ポケットの表面に電源スイッチの収納位置を示す目印を設けたので、ポケット内に設けたワンタッチ式の源スイッチを簡単にオン・オフすることができる。
【発明を実施するための最良の形態】
【００１０】
以下、図１乃至図１０に示す本発明を実施するための最良の形態により説明する。なお、本発明は、本発明者が先に日本国特許庁に提案した特許文献１に改良を加えたものであるから、説明の便宜上、極力、特許文献１（登録実用新案第３０２９３４２号公報）に記載の用語や符号を用いることにする。
【００１１】
（１）主な構成部分
図１は、上方に後身頃、下方に前身頃を示した展開図である、この図１を参照にすると、１は前身頃と後身頃との結合によりチョッキ型に形成される反射安全服、２は前身頃と後身頃をそれぞれ形成するメッシュ状の基布、３は前身頃の腹部分の前開き部、４は前開き部を開閉する面ファスナー、５は前身頃と後身頃の胴回り部、６は後身頃、７は前身頃、８は前後の身頃の適宜個所にそれぞれ縫い付けられた複数本の帯状反射シート、９は腹側ベルト、１０は背中側ベルト、１１は腹側ベルト９等に設けられたスナップ係合手段、１２は背中側ベルト等に設けられた面ファスナー係合手段である。以下、反射安全服１の具体的な構成について説明する。
【００１２】
（２）反射安全服１
反射安全服１の身頃は、肩部を境に分離された前身頃７と後身頃６とで構成されている。前身頃７と後身頃６とは、その上端部７ａ、６ａ同士を面接触状に重ね合わせられるよう適宜長さに形成されている。スナップ係合手段１１並びに面ファスナー係合手段１２は、公知のように端部同士を着脱自在に係合させるものであるから、圧着により対応する係合手段１１、１２がそれぞれホック式のオス・メス係合手段及び面接触式の圧着係合手段を介して一体的に環状胴部を形成する。
【００１３】
（３）金属製雌部・雄部接続端子
前身頃７と後身頃６のうち、一方（例えば前身頃７）には重ね合わせられる一側面に上下方向に所定間隔を有して係合手段としての雌雄の一方（例えば金属製雌部接続端子）１３Ｘを複数個配設し、これに対して、他方（例えば後身頃６）には、その一側面の少なくとも端部近傍に前記金属製雌部接続端子１３Ｘに対応する他方（例えば金属製雄部接続端子）１３Ｙを複数個配設して電気的に接続かつ着脱自在に構成している。
【００１４】
本実施例では、金属製雌部・雄部接続端子として複数個のメスホック・オスホック１３Ｘ、１３Ｙを採用している。これらのメスホック・オスホック１３Ｘ、１３Ｙは、例えば後身頃６の表面に上下方向に約１０センチミリメートルの間隔を有してスナップ雄部１３Ｙを合計４個配設し、これに対して前身頃７の裏面の端部に前記スナップ雄部１３Ｙに対応するスナップ雌部１３Ｘを合計４個配設することにより、着丈に対応して前身頃７のスナップ雌部１３Ｘを後身頃６のいずれかのスナップ雄部１３Ｙに選択的に係合させ、前身頃７及び後身頃６の上端部７ａ、６ａ同士を着脱自在に係合可能としている。
【００１５】
したがって、この反射安全服１によれば、後身頃６の複数のスナップ雄部１３Ｙに対し、前身頃７のスナップ雌部１３Ｘを選択した位置で係合させることで、約１０ｃｍの着丈を調節することが可能である。
【００１６】
なお、単一のスナップ雌部１３Ｘをスナップ雄部１３Ｙに係合させただけでは、そのスナップ雌部１３Ｘとスナップ雄部１３Ｙを中心に前身頃７と後身頃６とが回転して曲がることもあるので、本実施例では、スナップ雌部１３Ｘとスナップ雄部１３Ｙとを左右に配設して、これらを２カ所以上で係合させることにより回転によるずれを防止している。
【００１７】
また、スナップ雌部１３Ｘとスナップ雄部１３Ｙとを複数配設した場合でも、着丈を長く調節した時には、スナップ雌部１３Ｘとスナップ雄部１３Ｙとの係合は前身頃７及び後身頃６の先端側の１カ所だけになり、この際にスナップ係合手段を中心に回転によって曲がりやすくなるので、その最先端のスナップ雌部１３Ｘ及びスナップ雄部１３Ｙの周囲に面ファスナー係合手段し、面ファスナーの係合によってその回転を防止している。
【００１８】
（４）発光体
発光体としての発光ダイオード１５は、前身頃７の左右の縦方向反射シート８，８及び後身頃６の左右の縦方向反射シート８，８にそれぞれ複数個取付けられている。本実施例では、図２及び図３で示すように左右にそれぞれ４個ずつ所定間隔を有して配設されている。
【００１９】
（５）電源及びリード線
図４は、前身頃（上方）、後身頃（下方）をそれぞれ裏返した展開図である。この図４を参照にすると、電源及び制御器を収納する収納ポケット１６は、前身頃７の裏側の腹部付近に相当する基布２に固定的に設けられている(例えば縫い付けられている)。また複数個の発光ダイオード１５を直列に接続するプラスとマイナスのリード線（給電線）１７は、前身頃（上方）並びに後身頃（下方）の裏側に金属製雌部・雄部接続端子１３Ｘ、１３Ｙにそれぞれ接続して配設されている。
【００２０】
本実施例のリード線１７は、縦方向反射シート８，８の裏面と基布２との間に挟まれるように配設されている。そして、後身頃（下方）のプラスとマイナスの二本のリード線１７は、その中央部が背中側ベルト１０の中央部或いは後身頃の下部中央でＶ字型状に折り返しになっており、かつ、両端部は各４個の金属製雄部接続端子１３Ｙ、１３Ｙにそれぞれ接続されている。これに対して前身頃のリード線１７の両端部（図では下方に位置している。）は、少なくとも縁部側の各２個の金属製雌部接続端子１３Ｘ、１３Ｘにそれぞれ接続されている。
【００２１】
（６）電気回路
図５は電気回路の一例を示す回路図である。この図５を参照にして説明する。１６は前身頃７の裏側の腹部付近に相当する基布２に設けられた収納ポケットで、この収納ポケットには電源１８及び制御器１９が収納されている。電源１８は一次電池又は二次電池が使用される。制御器１９は、複数個のトランジスター、抵抗、コンデンサを備え、電源電圧を増幅する昇圧回路１９ａと、発光体１５を制御して点滅させる点滅回路１９ｂとを備える。また、収納ポケット１６には適宜個所に押しボタン式の電源スイッチ２０が設けられている。
【００２２】
１７は発光体１５を直列に接続する二本のリード線で、リード線１７は前身頃７の裏側のリード線１７ａと、後身頃６の裏側のリード線１７ｂとに別個独立にそれぞれ配設され、前述したように前記前身頃７のリード線１７ａの接続端部は、金属製雌部接続端子１３Ｘ、１３Ｘにそれぞれ接続され、一方、後身頃６のリード線１７ｂの接続端部は、各４個の金属製雄部接続端子１３Ｙ、１３Ｙにそれぞれ接続される。このように後身頃６及び前身頃７の発光体用給電線１７は、金属製雌部・雄部接続端子１３Ｘ、１３Ｘ、１３Ｙ、１３Ｙを介して電気的に接続可能である。
【００２３】
（７）接続態様
図６及び図７は、金属製雌部・雄部接続端子１３Ｘ、１３Ｘ、１３Ｙ、１３Ｙの接続態様を示す説明図である。図６は着丈を短くする場合に於いて、端部及び端部寄りの全ての金属製雌部・雄部接続端子をそれぞれ係合した場合を示し、一方、図７は着丈を長くする場合に於いて、端部の金属製雌部・雄部接続端子のみをそれぞれ係合した場合を示す。
【００２４】
(８) 収納ポケット
収納ポケット１６は、図９乃至図１０で示すように前身頃７の裏側の腹部に相当する部分に固定的に設けられ、スライド開閉部材２３を介して開閉する軟質合成樹脂製の収納ポケット本体２４と、この収納ポケット本体２４内に固定的に設けられた凹所型収納ケース２５とから構成されている。
【００２５】
しかして、前記凹所型収納ケース２５には、二本の電池電源１８、制御器１９及び電源スイッチ２０がそれぞれ適宜に内装されている。電源スイッチ２０は、本実施例では押し釦式であり、電池電源１８の上方の空間内に配設されている。
【００２６】
一方、前記収納ポケット本体２４の開閉カバー２４ａの表面には、図１０で示すように押し釦式電源スイッチ２０の収納位置を示す円形、多角形、文字、色彩、模様等の目印２６が設けられている。したがって、開閉カバー２４ａを閉じたまま目印２６をワンタッチ式に押すと、ポケット内の電源スイッチ２０がオン・オフする。
【実施例】
【００２７】
金属製雌部・雄部接続端子として複数個のメスホック・オスホック１３Ｘ、１３Ｙの数や間隔は、発明の目的が同一である限り、任意に増減することができる。また、ポケットは前身頃の前側に設けても良い。また、制御器１９は、複数個のトランジスター、抵抗、コンデンサを備え、電源電圧を増幅する昇圧回路１９ａと、発光体１５を制御して点滅させる点滅回路１９ｂとを備えるが、昇圧回路１９ａは発明の本質的要件ではなく、さらに点滅には点灯も含まれる。
【産業上の利用可能性】
【００２８】
本発明は、主に検問や交通整理作業等を行う際に利用される。
【図面の簡単な説明】
【００２９】
図１乃至図１０は本発明の一実施例を示す各説明図。
【図１】上方に後身頃、下方に前身頃を示した展開図。
【図２】正面図。
【図３】背面図。
【図４】前身頃（上方）、後身頃（下方）をそれぞれ裏返した展開図。
【図５】電気回路の一例を示す回路図。
【図６】金属製雌部・雄部接続端子接続態様を示す説明図（着丈を短くする場合）。
【図７】金属製雌部・雄部接続端子接続態様を示す説明図（着丈を長くする場合）。
【図８】前身頃の収納ポケットを開いた説明図。
【図９】図８に於いて、左側面からの説明図。
【図１０】開閉カバーを閉じた状態の説明図。
【符号の説明】
【００３０】
１…反射安全服、２…基布、３…前開き部、４…面ファスナー、５…胴回り部、６…後身頃、６ａ…上端部、７…前身頃、７ａ…上端部、８…反射シート、９…腹側ベルト、１０…背中側ベルト、１１…スナップ係合手段、１２…面ファスナー係合手段、１３Ｘ、１３Ｙ…係合手段としての金属製雌部・雄部接続端子、１５…発光体、１６…収納ポケット、１７…給電線、１７ａ…前身頃側のリード線、１７ｂ…後身頃側のリード線、１８…電源、１９…制御回路、２０…電源スイッチ、２３…スライド開閉部材、２４…収納ポケット本体、２４a…開閉カバー、２５…凹所型収納ケース、２６…目印。
【図１】
2005194671.tif 000003
【図２】
2005194671.tif 000004
【図３】
2005194671.tif 000005
【図４】
2005194671.tif 000006
【図５】
2005194671.tif 000007
【図６】
2005194671.tif 000008
【図７】
2005194671.tif 000009
【図８】
2005194671.tif 000010
【図９】
2005194671.tif 000011
【図１０】
2005194671.tif 000012